(57)【要約】      （修正有）【課題】ホストコンピュータに着脱可能で、大人数のグループで利用可能なポータブルイメージプロジェクタを提供する。【解決手段】ポータブルイメージプロジェクタは、ホストコンピュータと通信して、少なくとも１つのイメージに対するイメージデータをホストコンピュータから受け取るように構成されている通信モジュール１４、２８、４０と、通信モジュールに動作可能に接続され、イメージデータを受け取って処理し、処理されたイメージデータを出力するように構成されているプロセッサ３０と、プロセッサと動作可能に接続され、処理されたイメージデータを受け取り、イメージプロジェクタを使用して、少なくとも１つイメージとして、処理されたイメージデータを投影するように構成されているイメージ投影モジュール３２とを具備する。【選択図】図３
2011045044.tif 000002
【特許請求の範囲】
【請求項１】
ポータブルイメージプロジェクタにおいて、
ホストコンピュータと通信して、少なくとも１つのイメージに対するイメージデータを前記ホストコンピュータから受け取るように構成され、前記イメージは前記ホストコンピュータのモニタ上に表示される、または、表示されている通信モジュールと、
前記通信モジュールに動作可能に接続され、前記イメージデータを受け取って処理し、前記処理されたイメージデータを出力するように構成されているプロセッサと、
前記プロセッサに動作可能に接続され、前記処理されたイメージデータを受け取り、イメージプロジェクタを使用して、少なくとも１つのイメージとして、前記処理されたイメージデータを投影するように構成されているイメージ投影モジュールとを具備するポータブルイメージプロジェクタ。
【請求項２】
前記イメージ投影モジュールは光学ランスを備える請求項１記載のポータブルイメージプロジェクタ。
【請求項３】
前記通信モジュールは、ＵＳＢコネクタおよびＵＳＢ制御装置と、ワイヤレスモジュールとから成るグループから選択された少なくとも１つのものを備える請求項１または２記載のポータブルイメージプロジェクタ。
【請求項４】
前記プロセッサに動作可能に接続され、前記ポータブルイメージプロジェクタが、電力に対して、前記ホストコンピュータとは無関係に動作できるようにして、前記ポータブルイメージプロジェクタに電力を供給するように構成されているバッテリモジュールをさらに具備する請求項１〜３のいずれか１項記載のポータブルイメージプロジェクタ。
【請求項５】
前記プロセッサに動作可能に接続され、前記イメージデータをバッファするように構成されているＲＡＭモジュールをさらに具備する請求項１〜４のいずれか１項記載のポータブルイメージプロジェクタ。
【請求項６】
前記プロセッサに動作可能に接続され、前記イメージデータを記憶するように構成されているメモリモジュールをさらに具備し、前記メモリモジュールは、不揮発性メモリを備え、前記イメージデータが前記メモリモジュール中に記憶されているときに、再度ホストコンピュータからダウンロードすることなく、前記ホストコンピュータとは無関係に、前記イメージをその後投影できるように前記メモリモジュールが構成されている請求項１〜５のいずれか１項記載のポータブルプロジェクタ。
【請求項７】
前記プロセッサに動作可能に接続され、動作アプリケーションを記憶するＲＯＭモジュールをさらに具備する請求項１〜６のいずれか１項記載のポータブルイメージプロジェクタ。
【請求項８】
前記ポータブルイメージプロジェクタはオートランであり、動作アプリケーションは、前記ホストコンピュータにインストールするためのドライバを備える請求項７記載のポータブルイメージプロジェクタ。
【請求項９】
前記通信モジュールと、前記プロセッサと、前記イメージ投影モジュールと、前記イメージプロジェクタと、前記バッテリモジュールと、前記ＲＡＭモジュールと、前記メモリモジュールと、前記ＲＯＭモジュールとを囲んでいるアウターケーシングをさらに具備し、前記アウターケーシングは、前記ポータブルイメージプロジェクタに対する単一構造を形成している請求項７記載のポータブルイメージプロジェクタ。
【請求項１０】
請求項１〜９のいずれか１項記載のポータブルイメージプロジェクタを使用して、ホストコンピュータのモニタ上に表示されるイメージを投影する方法において、
すべてのイメージに対するすべてのイメージデータが前記ホストコンピュータの前記モニタ上に表示されているときに、前記ホストコンピュータが、すべてのイメージに対するすべてのイメージデータを前記ポータブルイメージプロジェクタの通信モジュールに自動的にダウンロードし、それにより、前記ポータブルイメージプロジェクタのイメージ投影モジュールにより表面上に前記イメージを投影することができることをさらに含む方法。
【請求項１１】
前記ポータブルイメージプロジェクタが初めて前記ホストコンピュータに動作可能に接続されたとき、ハンドシェーク手順の間に、前記ポータブルイメージプロジェクタは、必要なドライバが前記ホストコンピュータ中にインストールされているか否かを問い合わせ、インストールされていない場合、前記ポータブルイメージプロジェクタの前記プロセッサにより、前記ドライバは、前記ポータブルイメージプロジェクタの前記ＲＯＭモジュールから前記ホストコンピュータにアップロードされる請求項１０記載のイメージを投影する方法。
【請求項１２】
前記すべてのイメージに対するすべてのイメージデータは前記プロセッサによりメモリモジュール中に保存される請求項１０または１１記載のイメージを投影する方法。
【請求項１３】
前記イメージ投影モジュールは光学ランスを備える請求項１０〜１２のいずれか１項記載のイメージを投影する方法。
【請求項１４】
前記通信モジュールは、ＵＳＢコネクタおよびＵＳＢ制御装置と、ワイヤレスモジュールとから成るグループから選択された少なくとも１つのものを備える請求項１０〜１３のいずれか１項記載のイメージを投影する方法。
【請求項１５】
前記プロセッサに動作可能に接続されているバッテリモジュールは、前記ポータブルイメージプロジェクタに電力を供給し、前記ポータブルイメージプロジェクタが、電力に対して、前記ホストコンピュータとは無関係に動作することを可能にするために使用される請求項１０〜１４のいずれか１項記載のイメージを投影する方法。
【請求項１６】
前記ＲＡＭモジュールは前記イメージデータをバッファするために使用される請求項１０〜１４のいずれか１項記載のイメージを投影する方法。
【請求項１７】
前記イメージデータが前記メモリモジュール中に記憶されているときに、再度ホストコンピュータからダウンロードされることなく、前記ホストコンピュータとは無関係に、前記イメージがその後投影される請求項１２〜１６のいずれか１項記載のイメージを投影する方法。
【発明の詳細な説明】
【技術分野】
【０００１】
本発明は、ポータブルイメージプロジェクタおよび投影に関連し、さらに詳細に述べると、これらには限定されないが、ホストコンピュータと使用するためのポータブルイメージプロジェクタおよび投影に関連している。
【定義】
【０００２】
この明細書を通して、コンピュータに対する参照は、デスクトップコンピュータと、パーソナルコンピュータと、ラップトップコンピュータと、ノートブックコンピュータと、タブレットコンピュータと、パーソナルデジタルアシスタントと、他の類似するプロダクトとに対する参照を含むように受け取られるべきである。
【背景】
【０００３】
コンピュータは、表示目的にモニタまたはスクリーンを使用する。これは、表示をながめることができる人数を、モニタの周りに集まることができる人数に制限する。これは通常、比較的少人数である。モニタが非常に小さく、特に小さいテキストに対して、詳細を正確に見ることが難しいことが多いＰＤＡのような小さいポータブルコンピュータにおいては、とりわけそうである。
【０００４】
プロジェクタは、スクリーン上に表示を投影するために、コンピュータとともに使用されることが多い。しかし、プロジェクタは、かさばり、高価であり、いくらかのセットアップ時間を必要とする。それらは、より大人数のグループに、より適している。シンプルで、使用が簡単な、投影のための装置が必要とされている。
【概要】
【０００５】
例示的観点にしたがうと、ホストコンピュータと通信して、少なくとも１つのイメージに対するイメージデータをホストコンピュータから受け取るように構成されている通信モジュールを具備するポータブルイメージプロジェクタが提供され、イメージはホストコンピュータのモニタ上に表示される、または、表示されているものである。プロセッサは、通信モジュールに動作可能に接続され、イメージデータを受け取って処理し、処理されたイメージデータを出力するように構成されている。イメージ投影モジュールは、プロセッサに動作可能に接続され、処理されたイメージデータを受け取り、イメージプロジェクタを使用して、少なくとも１つのイメージとして、処理されたイメージデータを投影するように構成されている。
【０００６】
イメージ投影モジュールは光学ランスを備えてもよい。通信モジュールは、ＵＳＢコネクタおよびＵＳＢ制御装置と、ワイヤレスモジュールとのうちの少なくとも１つを備えてもよい。ポータブルイメージプロジェクタは、プロセッサに動作可能に接続され、ポータブルイメージプロジェクタが、電力に対して、ホストコンピュータとは無関係に動作できるようにして、ポータブルイメージプロジェクタに電力を供給するように構成されているバッテリモジュールをさらに具備してもよい。ポータブルイメージプロジェクタは、プロセッサに動作可能に接続され、イメージデータをバッファするように構成されているＲＡＭモジュールをさらに具備してもよい。ポータブルイメージプロジェクタは、プロセッサに動作可能に接続され、イメージデータを記憶するように構成されているメモリモジュールをさらに具備してもよく、メモリモジュールは、不揮発性メモリを備え、メモリモジュールは、イメージデータがメモリモジュール中に記憶されているときに、再度ホストコンピュータからダウンロードすることなく、ホストコンピュータとは無関係に、イメージをその後投影できるように構成されている。ポータブルイメージプロジェクタは、プロセッサに動作可能に接続され、動作アプリケーションを記憶するＲＯＭモジュールをさらに具備してもよい。ポータブルイメージプロジェクタはオートランであってもよく、動作アプリケーションは、ホストコンピュータにインストールするためのドライバを備える。ポータブルイメージプロジェクタは、通信モジュールと、プロセッサと、イメージ投影モジュールと、イメージプロジェクタと、バッテリモジュールと、ＲＡＭモジュールと、メモリモジュールと、ＲＯＭモジュールとを囲んでいるアウターケーシングをさらに具備してもよい。アウトケーシングは、ポータブルイメージプロジェクタに対する単一構造を形成している。
【０００７】
別の例示的観点にしたがうと、上記で説明したようなポータブルイメージプロジェクタを使用して、ホストコンピュータのモニタ上に表示されるイメージを投影する方法が提供される。方法は、すべてのイメージに対するすべてのイメージデータがホストコンピュータのモニタ上に表示されているときに、ホストコンピュータが、すべてのイメージに対するすべてのイメージデータをポータブルイメージプロジェクタの通信モジュールに自動的にダウンロードし、それにより、ポータブルイメージプロジェクタのイメージ投影モジュールにより表面上にイメージを投影することができることを含む。
【０００８】
ポータブルイメージプロジェクタが初めてホストコンピュータに動作可能に接続されたときに、ハンドシェーク手順の間に、ポータブルイメージプロジェクタは、必要なドライバがホストコンピュータ中にインストールされているか否かを問い合わせてもよく、インストールされていない場合、ポータブルイメージプロジェクタのプロセッサにより、ドライバは、ポータブルイメージプロジェクタのＲＯＭモジュールからホストコンピュータにアップロードされる。すべてのイメージに対するすべてのイメージデータはプロセッサによりメモリモジュール中に保存されてもよい。イメージ投影モジュールは光学ランスを備えてもよい。通信モジュールは、ＵＳＢコネクタおよびＵＳＢ制御装置と、ワイヤレスモジュールとのうちの少なくとも１つのものを備えてもよい。バッテリモジュールは、プロセッサに動作可能に接続されてもよく、ポータブルイメージプロジェクタに電力を供給し、ポータブルイメージプロジェクタが、電力に対して、ホストコンピュータとは無関係に動作することを可能にするために使用されてもよい。ＲＡＭモジュールはイメージデータをバッファするために使用されてもよい。イメージデータがメモリモジュール中に記憶されているときに、再度ホストコンピュータからダウンロードされることなく、ホストコンピュータとは無関係に、イメージがその後投影されてもよい。
【図面の簡単な説明】
【０００９】
本発明が完全に理解され、容易に実用的な効果をもたらすために、限定されない例により、例示的な実施形態を説明する。説明は、添付している説明図を参照している。
【００１０】
図面において、
【図１】図１は、ホストコンピュータとともに使用する例示的なポータブルイメージプロジェクタの概略図である。
【図２】図２は、図１のポータブルイメージプロジェクタ斜視図である。
【図３】図３は、図１および図２のポータブルイメージプロジェクタの主なコンポーネントを示しているブロック図である。
【図４】図４は、図１から３のポータブルイメージプロジェクタの動作に対するフローチャートである。
【好ましい実施形態の詳細な説明】
【００１１】
図１を参照すると、このケースではノートブックコンピュータであり、ホストコンピュータ１０に動作可能に接続されるポータブルイメージプロジェクタ１２を備えるホストコンピュータ１０が示されている。示しているように、動作可能な接続は、ホストコンピュータのＵＳＢポート１６に直接的に係合しているポータブルイメージプロジェクタ１２のＵＳＢコネクタ１４によるものである。しかしながら、動作可能な接続は、ケーブルの使用によるような間接的なＵＳＢ接続であってもよく、あるいは、ブルートゥース（登録商標）またはＷｉＦｉ（登録商標）の使用によるようなワイヤレス接続であってもよい。
【００１２】
ポータブルイメージプロジェクタ１２は、ホストコンピュータ１０のモニタ２６上にもあるイメージ２４を表面２２上に投影するイメージプロジェクタ１８をポータブルイメージプロジェクタ１２の末端面２０中に具備する。ポータブルイメージプロジェクタ１２はアウターケーシング２７を具備し、末端面２０はアウターケーシング２７の一部を形成する。アウターケーシング２７はポータブルイメージプロジェクタ１２に対する単一構造を形成する。イメージプロジェクタ１８は、アウターケーシング２７の１つ以上の任意の適切な表面に位置してもよい。
【００１３】
例えば、イメージプロジェクタ１８は、任意の適切な即知の形態であってもよい光学ランスであってもよい。イメージプロジェクタ１８は、即知の技術にしたがったズームおよびフォーカス機能を備えていてもよい。これらは、プロセッサ３０により制御されてもよい。イメージ２４は、（これらには限定されないが、）ｐｄｆ、ｊｐｅｇ、ｖｉｄｅｏ、ＰｏｗｅｒＰｏｉｎｔ、イメージなどを含む任意の適切なフォーマットであってもよい。
【００１４】
図３で示しているように、ポータブルイメージプロジェクタ１２のＵＳＢコネクタ１４は、ＵＳＢ制御装置２８に動作可能に接続され、ＵＳＢ制御装置は次にプロセッサ３０に動作可能に接続されている。
【００１５】
プロセッサ３０は、次に、光学ランス１８を制御し、イメージを光学ランス１８に供給するイメージ投影モジュール３２に動作可能に接続されている。
【００１６】
ＲＯＭモジュール３４、ＲＡＭモジュール３６、および、メモリモジュール３８もプロセッサ３０に動作可能に接続されている。オプション的に、ホストコンピュータ１０とのワイヤレス接続性のためのワイヤレスモジュール４０もあってもよい。ポータブルイメージプロジェクタ１２が、電力供給に対して、ホストコンピュータ１０とは無関係に動作するように、ポータブルイメージプロジェクタ１２に電力を供給するバッテリモジュール４２もあってもよい。バッテリ４２は、プロセッサ３０に動作可能に接続されていてもよい。バッテリ４２は、ポータブルイメージプロジェクタ１２が、ＵＳＢコネクタ１４によりホストコンピュータ１０に接続され、したがって、ホストコンピュータ１０から電力をとることができるときに、再充電することが可能な、再充電可能バッテリであってもよい。バッテリ４２は、ケーシング２６における取り外し可能バッテリカバー４２を介して、差し込み可能および取り外し可能であってもよい。
【００１７】
ＲＯＭモジュール３４は、ポータブルイメージプロジェクタの動作のために必要なすべてのアプリケーションを備え、ポータブルイメージプロジェクタ１２が初めてホスト１０に動作可能に接続されたときに、プロセッサ３０により、オートランドライブソフトウェアがホストコンピュータ１０にアップロードされるように、オートランドライブソフトウェアを備える。これは、ホストコンピュータ１０のオペレーティングシステムに向けられ、必要なドライバを備える。これは、初期の（および、即知の）ハンドシェークならびに問い合わせ手順の後に続く。
【００１８】
この方法において、イメージ２４に対するデータはモニタ２６に送られるだけでなく、同時にポータブルイメージプロジェクタ１２にも送られる。データがＵＳＢコネクタ１４またはワイヤレスモジュール４０を通してポータブルイメージプロジェクタ１２により受け取られると、プロセッサ３０はデータを処理し、それをイメージ投影モジュール３２に送り、そこでデータはさらに処理されて、投影のための光学ランス１８に送られる。通常の処理スピードの場合、人間の視覚には限界があるために、これは実際には同時に行われる。
【００１９】
必要とされる、または、望まれる場合、ホストコンピュータ１０から再度ダウンロードすることなく、イメージ２４に対するデータをその後投影できるようにするために、イメージ２４に対するデータはメモリモジュール３８中に記憶されてもよい。バッテリモジュール４２は、このような使用のために、電力を供給するだろう。これは、任意の適切な時間および／または場所でなされ、投影はホストコンピュータ１０とは完全に無関係になる。プロセッサ３０は、プロセッサ３０によりメモリモジュール３８から単純にダウンロードされて投影されるイメージ２４に対するデータによる、このような使用を制御するだろう。
【００２０】
イメージデータが、プロセッサ３０および／またはイメージ投影モジュール３２および／またはメモリモジュール３８の処理能力を上回る事態に、ＲＡＭ３６がバッファとして使用されてもよい。
【００２１】
メモリモジュール３８は、ディスクおよび／またはフラッシュメモリを含む任意の適切な不揮発性形態であってもよい。
【００２２】
ここで図４を参照すると、ポータブルイメージプロジェクタ１２が初めてホストコンピュータ１０に動作可能に接続されたとき（４００）、ハンドシェーク手順の間に（４０１）、ポータブルイメージプロジェクタは、必要なドライバがホストコンピュータ１０中にインストールされているか否かを問い合わせる（４０２）。インストールされていない場合、ドライバはＲＯＭモジュール３４からホストコンピュータ１０にアップロードされ（４０３）、インストールされている場合、（４０２）において、ドライバはすでにホストコンピュータ１０上にインストールされている。
【００２３】
そして、すべてのイメージ２４に対するすべてのイメージデータがモニタ２６上に表示されるときに、ホストコンピュータ１０が、すべてのイメージ２４に対するすべてのイメージデータをポータブルイメージプロジェクタ１２に自動的にダウンロードし（４０４）、それにより、光学ランスにより表面２２上にイメージを投影することができる。
【００２４】
イメージデータがメモリモジュール３８中に保存されるべきか否かを問い合わせるスクリーンプロンプト（４０５）があってもよい。イメージデータが保存されるべきである場合、プロセッサ３０がイメージデータを処理するときに、プロセッサ３０によりイメージデータはメモリモジュール３８中に自動的に保存される（４０６）。保存されたとき、または、イメージデータが保存されるべきではない場合、ポータブルイメージプロジェクタ１２によるイメージ表示が完了しているか否か（４０７）、ポータブルイメージプロジェクタ１２により受け取られるべきイメージデータがもうないかの問い合わせが提起される。イメージ表示が完了していない場合、プロセスは（４０４）に戻る。イメージ表示が完了している場合、プロセスは終了する（４０８）。
【００２５】
前述の説明では、例示的な実施形態を説明したが、本発明から逸脱することなく、設計、構造、および／または動作の詳細におけるさまざまな変更ができることを、当業者は理解するであろう。
【図１】
2011045044.tif 000003
【図２】
2011045044.tif 000004
【図３】
2011045044.tif 000005
【図４】
2011045044.tif 000006
【外国語明細書】
2011045044000001.pdf